(57)【要約】      （修正有）【課題】ロール状で回収された使用済み農業用ビニールを、再生処理のためロール状のまま汚泥を除去することができる農業用ビニールの汚泥除去処理装置を提供する。【解決手段】使用済み農業用ビニール（以下通称で呼ばれている呼称として「農ビ」という。）に付着した汚泥を取り除くため、ロール状の使用済み農ビを本装置の農ビ設置台１０に設置する。その農ビの端を農ビ巻上用ローラー２５に繋ぎ農ビ設置台１０から農ビ巻上台２４の間に空気噴射ノズル１３、水噴射ノズル１４、洗浄ブラシ１５を設置することにより塵やゴミを除去した後、農ビ乾燥用空気噴射ノズル２０で乾燥できる様にして汚泥除去処理装置を構成する。【選択図】図１
0003165803.tif 000002
【実用新案登録請求の範囲】
【請求項１】
使用済み農業用ビニール（以下通称で呼ばれている呼称として「農ビ」という。）に付着した汚泥を取り除くためロール状になっている使用済み農ビを本考案装置の農ビ設置台に設置し、農ビの端を農ビ巻上用ローラーに繋ぐ。本考案装置には農ビ設置台から農ビ巻上台の間に空気噴射ノズルであらかじめ塵やゴミを除去し、水噴射ノズル、洗浄ブラシを２回以上繰り返し設置し最後に農ビ乾燥用空気噴射ノズルで乾燥できることを特徴とする汚泥除去処理装置。
【考案の詳細な説明】
【技術分野】
【０００１】  本考案装置は使用済み農業用ビニールの汚泥除去装置に関する。
【背景技術】
【０００２】  使用済み農ビを再生処理するにはコストが問題であり、農ビの再生原料が新品の原料より安価なものにならない限り再生する意味がないし、事業として成り立たない。再生処理する工程の中で農ビの汚泥除去が機械化ではなかなか除去できず、人の手がかかり再生処理製品としては普及が困難であった。そのため使用済み農ビは産業廃棄物として処理する農家及び農業団体が一般的で環境問題の観点から見ても望ましいものではなかった。【０００３】  従来の技術としては水車の羽根が水面に浮いた農ビを叩き、その振動により汚泥を除去してゆく方法があった。
【考案の開示】
【考案が解決しようとする課題】
【０００４】  使用済み農ビを再生加工処理の前段階までの製品（再生品の原材料）にするには、使用済み農ビを完全に汚泥除去しなければならない。【０００５】  使用済み農ビを汚泥除去するには水を張った水槽に使用済みの破砕された農ビを入れ水車の羽根の回転で農ビを叩くことで多少の汚泥を除去することができるがその農ビが何重にも重なる為、完全な汚泥除去をすることは困難であった。また、破砕する時点で使用済み農ビに汚泥が付着していることから破砕刃の消耗が激しく採算性に乏しいものであった。【０００６】  昨今、使用済み農ビの巻き上げ機が普及し始めロール状で回収し、農家も使用済み農ビを処理する場合、まとめて産業廃棄物回収業者に引き取り依頼する場合にロール状であることで場所も取らないのと移動が簡便になってきている。そのため使用済み農ビのロール形状のものをそのまま汚泥除去したい。
【課題を解決するための手段】
【０００７】  上記のような問題を解決する為本考案は、使用済み農ビがロール状で回収できることからそのロール状の農ビをそのまま洗浄しようとする。【０００８】  使用済み農ビのロール状のまま農ビ設置台から農ビ巻上用ローラーまでの間に汚泥除去の仕組みを考慮し、最初は塵、ゴミを空気噴射ノズルであらかじめ塵やゴミを除去し、水噴射ノズル、洗浄ブラシを２回以上繰り返し設置し最後に農ビ乾燥用空気噴射ノズルで乾燥できることを考案した。【０００９】  本考案装置は機械をできるだけシンプルにすることによって故障の削減と設備費の削減を考慮し、採算性を重視した。
【考案の効果】
【００１０】  従来使用済み農ビを再生原料にするため水で洗浄し汚泥除去を行う方法としては、汚泥が取れないため試行錯誤があった。本考案では使用済み農ビをロール状のまま回収しそのまま洗浄できるようにし、農ビを破砕する工程も必要なく時間的な効率も良くなった。
【考案を実施するための最良の形態】
【００１１】  ロール状になっている使用済み農ビを本考案装置の農ビ設置台に設置し、農ビの端を農ビ巻上台に繋ぐ。本考案装置には農ビ設置台から農ビ巻上台の間に空気噴射ノズルであらかじめ塵やゴミを除去し、水噴射ノズル、洗浄ブラシを２回以上繰り返し設置し最後に農ビ乾燥用空気噴射ノズルで乾燥できるようにした。【００１２】  農ビ巻上用ローラー２５には、スピードコントローラー２２を接続し汚泥の状況に応じて巻上速度の調節機能を付した。
【実施例】
【００１３】  以下に本考案を図面に基づき説明する。使用済み農ビを使用済み農ビ設置台１０に置き各々上下に付した空気噴射ノズル１３と水噴射ノズル１４次に洗浄ブラシ１５水噴射ノズル１４洗浄仕上げブラシ１８回転ローラー１９最後に乾燥用噴射ノズル２０を経由して農ビ巻上用ローラー２５に巻き付ける。【００１４】  農ビ巻上用のロール巻き付け速度は汚泥の付着状況に応じて農ビ巻上スピードコントローラー２２で調節し農ビ巻上用モーター２１からベルトを介し農ビ巻上用ローラー２５で巻き上げる。
【産業上の利用可能性】
【００１５】  使用済み農ビをロール状のまま回収し洗浄が可能となることで物流や保管も簡易になり、また本考案装置による汚泥除去のコストが安価で収まれば処理した原料を再生業者に販売することにより、農家が産廃処理費用を負担しなくとも回収が可能になるため本考案装置を用いた仕組みが利用される可能性が大である。
【図面の簡単な説明】
【００１６】
【図１】本考案装置の正面図
【符号の説明】
【００１７】１０・・・使用済み農ビ設置台
１１・・・農業用ビニール
１２・・・電源スイッチ
１３・・・空気噴射ノズル
１４・・・水噴射ノズル
１５・・・洗浄ブラシ
１６・・・洗浄ブラシ用モーター
１７・・・ベルト
１８・・・洗浄仕上げブラシ
１９・・・回転ローラー
２０・・・乾燥用空気噴射ノズル
２１・・・農ビ巻上用モーター
２２・・・農ビ巻上スピードコントローラー
２３・・・モーターベルト
２４・・・農ビ巻上用台
２５・・・農ビ巻上用ローラー
【図１】
0003165803.tif 000003
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
使用済み農業用ビニール（以下通称で呼ばれている呼称として「農ビ」という。）に付着した汚泥を取り除くため、ロール状の使用済み農ビを本装置の農ビ設置台１０に設置し、その農ビの端を農ビ巻上用ローラー２５に繋ぎ農ビ設置台１０から農ビ巻上台２４の間に空気噴射ノズル１３、水噴射ノズル１４、洗浄ブラシ１５を設置することにより塵やゴミを除去した後、農ビ乾燥用空気噴射ノズル２０で乾燥できることを特徴とする汚泥除去処理装置。
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
使用済み農業用ビニール（以下通称で呼ばれている呼称として「農ビ」という。）に付着した汚泥を取り除くため、ロール状の使用済み農ビを本装置の農ビ設置台１０に設置し、その農ビの端を農ビ巻上用台２４に設置した農ビ巻上用ローラー２５に繋ぎ農ビ設置台１０から農ビ巻上台２４の間に空気噴射ノズル１３、水噴射ノズル１４、洗浄ブラシ１５、乾燥用空気噴射ノズル２０を設置することにより塵やゴミを除去した後、乾燥用空気噴射ノズル２０で乾燥できることを特徴とする汚泥除去処理装置。